(57)【特許請求の範囲】
【請求項１】
ホームノードＢ基地局においてアップリンク干渉を管理する方法であって、前記方法は、
前記ホームノードＢ基地局において、前記ホームノードＢ基地局のアップリンクチャネルに対して１つまたは複数のセル間ユーザ機器によって引き起こされるアップリンク干渉を検出することと、前記１つまたは複数のセル間ユーザ機器が近隣基地局に関連する、
ホームノードＢゲートウェイによって維持された情報を識別することに基づいて、前記近隣基地局を識別することと、
前記アップリンク干渉を検出することに応答して前記近隣基地局に支援情報についての要求を送信することと、前記支援情報が、前記近隣基地局に関連する前記１つまたは複数のセル間ユーザ機器による進行中の送信のパラメータリストを備える、
前記ホームノードＢ基地局において、前記近隣基地局から前記支援情報を受信することと、ここにおいて、前記支援情報は、前記要求に応答して受信される、
前記ホームノードＢ基地局において、得られた信号を生成するために、前記支援情報に基づいて、受信された信号の少なくとも一部分に対してアップリンク干渉消去を実施することと、ここにおいて、アップリンク干渉消去を実施することは、前記受信された信号から前記１つまたは複数の干渉セル間ユーザ機器の送信を復号するために前記支援情報を使用することと、前記１つまたは複数の干渉セル間ユーザ機器の前記復号された送信を使用して前記受信された信号から前記干渉セル間ユーザ機器の送信を消去することとを含む、
を備える、方法。
【請求項２】
前記アップリンク干渉消去が、前記アップリンク干渉を検出したことに応答して実施される、請求項１に記載の方法。
【請求項３】
前記受信された信号の前記少なくとも一部分が連続干渉消去、反復並列干渉消去、および反復グループ干渉消去を介して消去される、請求項１に記載の方法。
【請求項４】
前記支援情報が前記近隣基地局から直接受信されるか、または、前記支援情報がＷｉ−Ｆｉ  Ｄｉｒｅｃｔ、ロングタームエボリューションホワイトスペース（ＬＴＥ（登録商標）−ＷＳ）、ロングタームエボリューションデバイスツーデバイス（ＬＴＥ−Ｄ２Ｄ）、Ｗｉ−Ｆｉ、電力線接続（ＰＬＣ）、およびバックホール接続のうちの1つを介して前記近隣基地局から直接受信される、請求項１に記載の方法。
【請求項５】
前記支援情報が、前記近隣基地局に関連するユーザ機器を介して前記近隣基地局から受信される、請求項１に記載の方法。
【請求項６】
前記支援情報が、ワイヤレスワイドエリアネットワーク（ＷＷＡＮ）インターフェースを介して前記近隣基地局に関連する前記ユーザ機器を介して前記近隣基地局から受信される、請求項５に記載の方法。
【請求項７】
前記支援情報が、帯域外（ＯＯＢ）リンクを介して前記近隣基地局に関連する前記ユーザ機器を介して前記近隣基地局から受信される、請求項５に記載の方法。
【請求項８】
前記ホームノードＢ基地局がスモールセルデバイスを備え、前記スモールセルデバイスがフェムトセルを備える、請求項１に記載の方法。
【請求項９】
前記支援情報の前記パラメータリストが、スクランブリングコードタイプおよびスクランブリングコード番号のうちの１つまたは複数、拡散率および直交可変拡散率（ＯＶＳＦ）コードのうちの１つまたは複数、送信時間間隔（ＴＴＩ）、チャネルコーディングタイプ、レートマッチング属性および／または巡回冗長検査（ＣＲＣ）を含む、請求項１に記載の方法。
【請求項１０】
前記支援情報の前記パラメータリストが、フィードバックインジケータ（ＦＢＩ）ビットの数、送信電力制御（ＴＰＣ）ビットの数、トランスポートフォーマット組合せインジケータビット（ＴＦＣＩ）ビットの数のうちの１つまたは複数を含むＵＬ  ＤＰＣＣＨスロットフォーマットを含む、請求項１に記載の方法。
【請求項１１】
前記支援情報の前記パラメータリストが、トランスポートフォーマット組合せセット（ＴＦＣＳ）およびアップリンクのためのトランスポートフォーマットセット（ＴＦＳ）のうちの１つまたは複数を含む、および／または、
前記支援情報の前記パラメータリストがパンクチャリング限界、１つまたは複数の利得係数、および／またはＤＰＣＨフレームオフセットパラメータおよびチップオフセットパラメータのうちの１つまたは複数を含む、請求項１に記載の方法。
【請求項１２】
アップリンク干渉消去を前記実施することが、
前記受信された信号から、前記近隣基地局に関連する前記ユーザ機器からのビットストリームを復号することと、
前記近隣基地局に前記復号されたビットストリームを与えることと
を備える、請求項１に記載の方法。
【請求項１３】
前記方法は、
前記ホームノードＢ基地局のための現在リソース利用量を判断することと、
前記現在リソース利用量が所定のしきい値を下回るとき、許可されていないユーザ機器にアクセスを与えることと
をさらに備え、前記許可されていないユーザ機器に優先して、許可されたユーザ機器に復号優先度が与えられる、請求項１に記載の方法。
【請求項１４】
ホームノードＢ基地局においてアップリンク干渉を管理するための装置であって、前記装置は、
ホームノードＢ基地局において、前記ホームノードＢ基地局のアップリンクチャネルに対して１つまたは複数のセル間ユーザ機器によって引き起こされるアップリンク干渉を検出するための手段と、前記１つまたは複数のセル間ユーザ機器が近隣基地局に関連する、
ホームノードＢゲートウェイによって維持された情報を識別することに基づいて、前記近隣基地局を識別するための手段と、
前記アップリンク干渉の検出に応答して前記近隣基地局に支援情報についての要求を送信するための手段と、前記支援情報が、前記近隣基地局に関連する前記１つまたは複数のユーザ機器による進行中の送信のパラメータリストを備える、
前記ホームノードＢ基地局において、前記近隣基地局から前記支援情報を受信するための手段と、ここにおいて、前記支援情報は、前記要求に応答して受信される、
前記ホームノードＢ基地局において、得られた信号を生成するために、前記支援情報に基づいて、受信された信号の少なくとも一部分に対してアップリンク干渉消去を実施するための手段と、ここにおいて、アップリンク干渉消去を前記実施するための手段は、前記受信された信号から前記１つまたは複数の干渉セル間ユーザ機器の送信を復号するために前記支援情報を使用するように、および前記１つまたは複数の干渉セル間ユーザ機器の前記復号された送信を使用して前記受信された信号から前記干渉セル間ユーザ機器の送信を消去するように構成される、
を備える、装置。
【請求項１５】
基地局においてアップリンク干渉を管理するためのコンピュータプログラムであって、前記コンピュータプログラムは、
請求項１乃至１３のうちのいずれか１つのステップを実行するためのコードを備える、コンピュータプログラム。
【発明の詳細な説明】
【技術分野】
【０００１】
[0001]本開示は、一般にワイヤレスシステムおよび方法に関し、詳細には、アップリンクセル間干渉を管理するためのシステムおよび方法に関する。
【背景技術】
【０００２】
[0002]ワイヤレス通信システムは、たとえば音声、データなど、様々なタイプの通信コンテンツを提供するために広く展開されている。典型的なワイヤレス通信システムは、利用可能なシステムリソース（たとえば、帯域幅、送信電力など）を共有することによって複数のユーザとの通信をサポートすることが可能な多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、システムは、第３世代パートナーシッププロジェクト（３ＧＰＰ：third generation partnership project）、３ＧＰＰロングタームエボリューション（ＬＴＥ：long-term evolution）、ウルトラモバイルブロードバンド（ＵＭＢ：ultra mobile broadband）、エボリューションデータオプティマイズド（ＥＶ−ＤＯ：evolution data optimized）などの規格に準拠することができる。
【０００３】
[0003]一般に、ワイヤレス多元接続通信システムは、複数のモバイルデバイスのための通信を同時にサポートし得る。各モバイルデバイスは、順方向リンクおよび逆方向リンク上の送信を介して１つまたは複数のアクセスポイントと通信し得る。順方向リンク（またはダウンリンク）はアクセスポイントからモバイルデバイスへの通信リンクを指し、逆方向リンク（またはアップリンク）はモバイルデバイスからアクセスポイントへの通信リンクを指す。さらに、モバイルデバイスとアクセスポイントとの間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／またはアクセスポイントは他のアクセスポイントと）通信することができる。
【０００４】
[0004]従来のアクセスポイントを補うために、追加の制限付きアクセスポイントを展開して、モバイルユニットによりロバストなワイヤレスカバレージを与えることができる。たとえば、増分キャパシティの増大、よりリッチなユーザエクスペリエンス、屋内または他の特定の地理的カバレージなどのために、（たとえば、一般に、Ｈ（ｅ）ＮＢと総称されるホームノードＢまたはホームｅＮＢ、フェムトアクセスポイント、フェムトセル、ピコセル、マイクロセルなどと呼ばれることがある）ワイヤレス中継局および低電力アクセスポイントを展開することができる。いくつかの構成では、モバイル事業者のネットワークへのバックホールリンクを与えることができる、ブロードバンド接続（たとえば、デジタル加入者回線（ＤＳＬ）ルータ、ケーブルまたは他のモデムなど）を介して、そのような低電力アクセスポイントをインターネットに接続することができる。したがって、たとえば、ユーザの自宅内に低電力アクセスポイントを展開して、ブロードバンド接続を介して１つまたは複数のデバイスにモバイルネットワークアクセスを与えることができる。
【０００５】
[0005]フェムトセル、ピコセルなど、そのような低電力アクセスポイント（スモールセルデバイス）は、干渉を受けやすい多元接続アップリンク（ＵＬ）チャネル（たとえば、ＷＣＤＭＡ（登録商標）、４Ｇ−ＬＴＥなど）を採用する。そのような低電力アクセスポイントの展開は、多くの場合、無計画であり、したがって、アクセスポイントおよび／またはそれと通信しているモバイルデバイスは、他の低電力アクセスポイント、マクロセルアクセスポイント、または近傍の他のデバイスに対する干渉を引き起こすことがある。場合によっては、いくつかの低電力アクセスポイントは、いくつかのデバイス（たとえば、許可されたデバイスまたはユーザのリストに属するデバイス）のみからの通信を可能にする制限付き関連付けにおいて動作することができる。そのような場合、範囲内にあるが、低電力アクセスポイントと通信することを可能にされていないデバイスは、異なるアクセスポイントに通信するときに低電力アクセスポイントに干渉することがある。その干渉は不十分なユーザエクスペリエンスにつながることがある。
【発明の概要】
【０００６】
[0006]基地局においてアップリンク干渉を管理する方法が、限定はしないが、基地局のアップリンクチャネルに対して１つまたは複数のセル間ユーザ機器によって引き起こされるアップリンク干渉を検出することと、１つまたは複数のセル間ユーザ機器が近隣基地局に関連する、基地局において、近隣基地局から支援情報（assistance information）を受信することと、支援情報が、近隣基地局に関連する１つまたは複数のユーザ機器による進行中の送信のパラメータリスト（parameter list）を備える、基地局において、得られた信号を生成するために、支援情報に基づいて、受信された信号の少なくとも一部分に対してアップリンク干渉消去を実施することとのいずれか１つまたは組合せを含み得る。
【０００７】
[0007]様々な実施形態では、本方法は、近隣基地局に支援情報についての要求を送信することをさらに含む。支援情報は上記要求に応答して受信される。
【０００８】
[0008]基地局においてアップリンク干渉を管理する方法が、限定はしないが、基地局において、近隣基地局から支援情報を受信することと、支援情報が、近隣基地局に関連する１つまたは複数のセル間ユーザ機器による進行中の送信のパラメータリストを備え、１つまたは複数のセル間ユーザ機器の進行中の送信が基地局のアップリンクチャネルに対するアップリンク干渉を引き起こす、基地局において、得られた信号を生成するために、支援情報に基づいて、受信された信号の少なくとも一部分に対してアップリンク干渉消去を実施することとのいずれか１つまたは組合せを含み得る。
【０００９】
[0009]様々な実施形態では、本方法は、１つまたは複数のセル間ユーザ機器によって引き起こされるアップリンク干渉を検出することをさらに含む。アップリンク干渉消去は、アップリンク干渉を検出したことに応答して実施される。
【００１０】
[0010]様々な実施形態では、本方法は、近隣基地局に支援情報についての要求を送信することをさらに含む。支援情報は上記要求に応答して受信される。
【００１１】
[0011]様々な実施形態では、本方法は、近隣基地局に支援情報についての要求を送信することと、ここにおいて、支援情報が上記要求に応答して受信される、アップリンク干渉を検出することとをさらに含む。アップリンク干渉消去は、アップリンク干渉を検出したことに応答して実施される。
【００１２】
[0012]様々な実施形態では、本方法は、１つまたは複数のセル間ユーザ機器によって引き起こされるアップリンク干渉を検出することと、アップリンク干渉を検出したことに応答して、近隣基地局に支援情報についての要求を送信することとをさらに含む。支援情報は上記要求に応答して受信される。
【００１３】
[0013]様々な実施形態では、受信された信号の少なくとも一部分は連続干渉消去によって消去される。
【００１４】
[0014]様々な実施形態では、受信された信号の少なくとも一部分は反復並列干渉消去によって消去される。
【００１５】
[0015]様々な実施形態では、受信された信号の少なくとも一部分は反復グループ干渉消去によって消去される。
【００１６】
[0016]様々な実施形態では、支援情報は、セル間ユーザ機器のうちの１つが、前記セル間機器が基地局のアップリンクチャネルに対するアップリンク干渉を引き起こしていると判断したことに応答して受信される。
【００１７】
[0017]様々な実施形態では、支援情報は近隣基地局から直接受信される。
【００１８】
[0018]いくつかの実施形態では、支援情報はＷｉ−Ｆｉ  Ｄｉｒｅｃｔ（登録商標）を介して近隣基地局から直接受信される。
【００１９】
[0019]いくつかの実施形態では、支援情報はロングタームエボリューションホワイトスペース（ＬＴＥ−ＷＳ：Long-Term Evolution White Space）を介して近隣基地局から直接受信される。
【００２０】
[0020]いくつかの実施形態では、支援情報はロングタームエボリューションデバイスツーデバイス（ＬＴＥ−Ｄ２Ｄ：Long-Term Evolution device-to-device）を介して近隣基地局から直接受信される。
【００２１】
[0021]いくつかの実施形態では、支援情報はＷｉ−Ｆｉ（登録商標）を介して近隣基地局から直接受信される。
【００２２】
[0022]いくつかの実施形態では、支援情報は電力線接続（ＰＬＣ：power line connection）を介して近隣基地局から直接受信される。
【００２３】
[0023]いくつかの実施形態では、支援情報はバックホール接続を介して近隣基地局から直接受信される。
【００２４】
[0024]様々な実施形態では、支援情報は、近隣基地局に関連するユーザ機器を介して近隣基地局から受信される。
【００２５】
[0025]いくつかの実施形態では、支援情報は、ワイヤレスワイドエリアネットワーク（ＷＷＡＮ）インターフェースを介して近隣基地局に関連するユーザ機器を介して近隣基地局から受信される。
【００２６】
[0026]いくつかの実施形態では、支援情報は、帯域外（ＯＯＢ：out-of-band）リンクを介して近隣基地局に関連するユーザ機器を介して近隣基地局から受信される。
【００２７】
[0027]様々な実施形態では、基地局はスモールセルデバイスを備える。
【００２８】
[0028]いくつかの実施形態では、スモールセルデバイスはフェムトセルを備える。
【００２９】
[0029]様々な実施形態では、基地局はマクロセルデバイスを備える。
【００３０】
[0030]様々な実施形態では、支援情報のパラメータリストは、スクランブリングコードタイプおよびスクランブリングコード番号のうちの１つまたは複数を含む。
【００３１】
[0031]様々な実施形態では、支援情報のパラメータリストは、拡散率（spreading factor）および直交可変拡散率（ＯＶＳＦ：orthogonal variable spreading factor）コードのうちの１つまたは複数を含む。
【００３２】
[0032]様々な実施形態では、支援情報のパラメータリストは送信時間間隔（ＴＴＩ：transmission time interval）を含む。
【００３３】
[0033]様々な実施形態では、支援情報のパラメータリストはチャネルコーディングタイプを含む。
【００３４】
[0034]様々な実施形態では、支援情報のパラメータリストはレートマッチング属性を含む。
【００３５】
[0035]様々な実施形態では、支援情報のパラメータリストは巡回冗長検査（ＣＲＣ：cyclic redundancy check）を含む。
【００３６】
[0036]様々な実施形態では、支援情報のパラメータリストは、フィードバックインジケータ（ＦＢＩ：feedback indicator）ビットの数、送信電力制御（ＴＰＣ：transmit power control）ビットの数、トランスポートフォーマット組合せインジケータビット（ＴＦＣＩ：transport format combination indicator bit）ビットの数のうちの１つまたは複数を含むＵＬ  ＤＰＣＣＨスロットフォーマットを含む。
【００３７】
[0037]様々な実施形態では、支援情報のパラメータリストは、トランスポートフォーマット組合せセット（ＴＦＣＳ：transport format combination set）およびアップリンクのためのトランスポートフォーマットセット（ＴＦＳ：transport format set）のうちの１つまたは複数を含む。
【００３８】
[0038]様々な実施形態では、支援情報のパラメータリストはパンクチャリング限界を含む。
【００３９】
[0039]様々な実施形態では、支援情報のパラメータリストは１つまたは複数の利得係数（gain factor）を含む。
【００４０】
[0040]様々な実施形態では、支援情報のパラメータリストは、ＤＰＣＨフレームオフセットパラメータおよびチップオフセットパラメータのうちの１つまたは複数を含む。
【００４１】
[0041]様々な実施形態では、アップリンク干渉消去を実施することは、受信された信号から、近隣基地局に関連するユーザ機器からのビットストリームを復号することと、近隣基地局に復号されたビットストリームを与えることとを含む。
【００４２】
[0042]様々な実施形態では、本方法は、基地局のための現在リソース利用量を判断することと、現在リソース容量が所定のしきい値を下回るとき、許可されていないユーザ機器にアクセスを与えることとをさらに含む。
【００４３】
[0043]いくつかの実施形態では、許可されていないユーザ機器に優先して、許可されたユーザ機器に復号優先度が与えられる。
【００４４】
[0044]ユーザ機器によって実施される、アップリンク干渉を管理するための方法が、限定はしないが、ユーザ機器によって、ビクティム基地局（victim base station）のアップリンクチャネルに対してユーザ機器によって引き起こされるアップリンク干渉を検出することと、ユーザ機器がそれに関連するサービング基地局に対してビクティム基地局を識別することとのいずれか１つまたは組合せを含み得る。
【００４５】
[0045]様々な実施形態では、ビクティム基地局が干渉消去を実施することを可能にするために、ビクティム基地局に支援情報が与えられる。
【００４６】
[0046]基地局においてアップリンク干渉を管理する方法が、限定はしないが、基地局のアップリンクチャネルに対して１つまたは複数のセル間ユーザ機器によって引き起こされるアップリンク干渉を検出することと、１つまたは複数のセル間ユーザ機器が近隣基地局に関連する、１つまたは複数のセル間ユーザ機器の送信のデータシンボルの最小平均２乗誤差（ＭＭＳＥ：minimum mean square error）推定値を生成することと、ここにおいて、ＭＭＳＥ推定値が基地局のチャネル復号器のソフト出力（soft output）から導出される、ＭＭＳＥ推定値に基づいて波形を再構成することとのいずれか１つまたは組合せを含み得る。
【００４７】
[0047]アップリンク干渉を管理するための基地局が、限定はしないが、近隣基地局から支援情報を受信するように構成されたトランシーバと、支援情報が、近隣基地局に関連する１つまたは複数のユーザ機器による進行中の送信のパラメータリストを備える、得られた信号を生成するために、支援情報に基づいて、受信された信号の少なくとも一部分に対してアップリンク干渉消去を実施するように構成されたプロセッサとのいずれか１つまたは組合せを含み得る。
【００４８】
[0048]基地局においてアップリンク干渉を管理するための装置が、限定はしないが、基地局のアップリンクチャネルに対して１つまたは複数のセル間ユーザ機器によって引き起こされるアップリンク干渉を検出するための手段と、１つまたは複数のセル間ユーザ機器が近隣基地局に関連する、基地局において、近隣基地局から支援情報を受信するための手段と、支援情報が、近隣基地局に関連する１つまたは複数のユーザ機器による進行中の送信のパラメータリストを備える、基地局において、得られた信号を生成するために、支援情報に基づいて、受信された信号の少なくとも一部分に対してアップリンク干渉消去を実施するための手段とのいずれか１つまたは組合せを含み得る。
【００４９】
[0049]様々な実施形態では、本装置は、近隣基地局に支援情報についての要求を送信するための手段をさらに含み得る。支援情報は上記要求に応答して受信される。
【００５０】
[0050]基地局においてアップリンク干渉を管理するための装置が、限定はしないが、基地局のアップリンクチャネルに対して１つまたは複数のセル間ユーザ機器によって引き起こされるアップリンク干渉を検出することと、１つまたは複数のセル間ユーザ機器が近隣基地局に関連する、基地局において、近隣基地局から支援情報を受信することと、支援情報が、近隣基地局に関連する１つまたは複数のユーザ機器による進行中の送信のパラメータリストを備える、基地局において、得られた信号を生成するために、支援情報に基づいて、受信された信号の少なくとも一部分に対してアップリンク干渉消去を実施することとのいずれか１つまたは組合せを行うために構成され得るプロセッサを含み得る。
【００５１】
[0051]様々な実施形態では、プロセッサは、近隣基地局に支援情報についての要求を送信するためにさらに構成される。支援情報は上記要求に応答して受信される。
【００５２】
[0052]基地局においてアップリンク干渉を管理するためのコンピュータプログラム製品が、限定はしないが、基地局のアップリンクチャネルに対して１つまたは複数のセル間ユーザ機器によって引き起こされるアップリンク干渉を検出することと、１つまたは複数のセル間ユーザ機器が近隣基地局に関連する、基地局において、近隣基地局から支援情報を受信することと、支援情報が、近隣基地局に関連する１つまたは複数のユーザ機器による進行中の送信のパラメータリストを備える、基地局において、得られた信号を生成するために、支援情報に基づいて、受信された信号の少なくとも一部分に対してアップリンク干渉消去を実施することとのいずれか１つまたは組合せを行うためのコードを含むコンピュータ可読記憶媒体を含み得る。
【００５３】
[0053]様々な実施形態では、近隣基地局に支援情報についての要求を送信するためのコードをさらに含むコンピュータ可読記憶媒体。支援情報は上記要求に応答して受信される。
【図面の簡単な説明】
【００５４】
【図１】[0054]本開示の様々な実施形態による、ワイヤレス通信システムの図。
【図２】[0055]本開示の様々な実施形態による、ネットワーク環境内でのアクセスポイント基地局の展開を可能にするための通信システムの図。
【図３Ａ】[0056]本開示の様々な実施形態による、ネットワーク環境のブロック図。
【図３Ｂ】本開示の様々な実施形態による、ネットワーク環境のブロック図。
【図４Ａ】[0057]本開示の様々な実施形態による、アップリンク干渉を管理する方法の図。
【図４Ｂ】本開示の様々な実施形態による、アップリンク干渉を管理する方法の図。
【図５】[0058]本開示の様々な実施形態による、アップリンク干渉を管理する方法の図。
【図６】[0059]本開示の様々な実施形態による、アップリンク干渉を管理する方法の図。
【図７】[0060]本開示の様々な実施形態による、アップリンク干渉を管理する方法の図。
【図８】[0061]本開示の様々な実施形態による、アップリンク干渉を管理する方法の図。
【図９Ａ】[0062]本開示の様々な実施形態による、アップリンク干渉を管理する方法の図。
【図９Ｂ】[0063]本開示の様々な実施形態による、アップリンク干渉を管理する方法に対応するブロック図。
【図１０】[0064]本開示の様々な実施形態による、通信構成要素のいくつかの例示的な態様の簡略ブロック図。
【発明を実施するための形態】
【００５５】
[0065]基地局受信機アンテナ入力における干渉は３つの構成要素、すなわち、（ａ）すべてのフェムトセルユーザのＷＣＤＭＡアップリンク波形の和を表すセル内干渉、（ｂ）基地局と通信しないすべてのユーザ機器（たとえば、他の基地局に関連するユーザ機器）のＷＣＤＭＡ波形の和を表すセル間干渉、および（ｃ）熱雑音を備える。
【００５６】
[0066]様々な実施形態は、近隣基地局からの支援を介して、セル間デバイス（ユーザ機器）によって引き起こされるアップリンク干渉を消去することに関する。特定の実施形態では、スモールセルデバイス（たとえば、フェムトセル、ピコセルなど）である基地局が、近隣基地局からの支援情報を使用して、セル間ＵＥ（フェムトセル、マクロセルなど、近隣基地局に関連するＵＥ）によって引き起こされる、アップリンク干渉を消去するように構成される。したがって、支援情報は、干渉ＵＥ送信を消去するために、受信された波形（信号）から（１つまたは複数の）干渉セル間ＵＥの送信を復号するために使用され得る。
【００５７】
[0067]本明細書の説明では、比較的大きいエリア（たとえば、近傍または近傍のグループにわたる領域、町、あるいは町の都市のセクションなど）にわたるカバレージを与えるノードをマクロノードと呼ぶことがあり、比較的小さいエリア（たとえば、住居、オフィス、建築物など）にわたるカバレージを与えるノードをフェムトノードと呼ぶことがある。本明細書の教示は、他のタイプのカバレージエリアに関連するノードに適用可能であり得ることを諒解されたい。たとえば、ピコノードは、マクロエリアよりも小さく、フェムトエリアよりも大きいエリアにわたるカバレージ（たとえば、商業建築物内のカバレージ）を与え得る。様々な適用例では、マクロノード、フェムトノード、または他のアクセスポイントタイプのノードを指すために他の用語を使用することがある。たとえば、マクロノードを、アクセスノード、基地局、アクセスポイント、ノードＢ、ｅノードＢ、マクロセルなどとして構成すること、またはそのように呼ぶことがある。さらに、フェムトノードを、ホームノードＢ、ホームｅノードＢ、アクセスポイント基地局、フェムトセルなどとして構成すること、またはそのように呼ぶことがある。いくつかの実装形態では、ノードが１つまたは複数のセルまたはセクタに関連する（たとえば、それらのセルまたはセクタに分割される）ことがある。マクロノード、フェムトノード、またはピコノードに関連するセルまたはセクタを、それぞれ、マクロセル、フェムトセル、またはピコセルと呼ぶことがある。たとえば、スモールセルは、フェムトセル、ピコセルなどを指すことがある。次に、どのようにフェムトノードがネットワークにおいて展開され得るかの簡略例について、図１および図２を参照しながら説明する。
【００５８】
[0068]図１に、様々な開示する実施形態および態様が実装され得る、何人かのユーザをサポートするように構成された例示的なワイヤレス通信システム１００を示す。図１に示されているように、システム１００は、たとえば、マクロセル１０２ａ〜１０２ｇなど、複数のセル１０２のための通信を可能にし、各セルは、たとえば、ＡＰ１０４ａ〜１０４ｇなど、対応する１つまたは複数のアクセスポイント（ＡＰ）１０４によってサービスされる。各マクロセルは、さらに１つまたは複数のセクタに分割され得る（図示せず）。図１にさらに示されているように、ユーザ機器（ＵＥ）または移動局（ＭＳ）、または端末デバイスとしても互換的に知られる、アクセス端末（ＡＴ）１０６ａ〜１０６ｌを含む、様々なＡＴデバイス１０６が、システム全体にわたって様々なロケーションに分散していることがある。各ＡＴ１０６は、たとえば、ＡＴ１０６がアクティブであるかどうか、およびＡＴ１０６がソフトハンドオフ中であるかどうかに応じて、所与の瞬間にダウンリンク（ＤＬ）および／またはアップリンク（ＵＬ）上で１つまたは複数のＡＰ１０４と通信し得る。ワイヤレス通信システム１００は、大きい地理的領域にわたってサービスを提供し得る。たとえば、マクロセル１０２ａ〜１０２ｇは、近傍内の数ブロックのみ、または地方環境における数平方マイルをカバーし得る。
【００５９】
[0069]図２に、ネットワーク環境内での、フェムトセル（アクセスポイント基地局）としても知られる、フェムトノード（または他のスモールセルノード）の展開を可能にするための例示的な通信システムを示す。図２に示されているように、システム２００は、複数のフェムトノード、または、代替として、フェムトセル、アクセスポイント基地局、たとえば、ホームノードＢ（ＨＮＢ）２１０などのＨＮＢユニットを含む。ＨＮＢユニット２１０の各々は、たとえば、１つまたは複数のサイト２３０などにおいて、対応する比較的小さいカバレージのネットワーク環境に設置され得る。ＨＮＢユニット２１０の各々は、関連するユーザ機器（ＵＥ）２２０をサービスするように構成され得る。各ＨＮＢ２１０は、インターネット２４０など、ワイドエリアネットワーク（ＷＡＮ）に結合され、さらにそれを介して通信するように構成され、（「コアネットワーク」または「マクロセルラーネットワーク」とも呼ばれる）マクロモバイル事業者コアネットワーク２５０を含む、インターネット上の任意のノードに結合され得る。例示的な構成では、サイトはＤＳＬルータおよび／またはケーブルモデムを含み得る（図示せず）。ＵＥ２２０とコアネットワーク２５０との間に少なくとも２つの通信経路、たとえば、マクロセルアクセス２７０を含む経路とインターネット２４０を含む経路があり得る。
【００６０】
[0070]本明細書で説明する実施形態は３ＧＰＰ用語を使用するが、実施形態は、３ＧＰＰ（Ｒｅｌ９９、Ｒｅｌ５、Ｒｅｌ６、Ｒｅｌ７など）技術だけでなく、３ＧＰＰ２（１ｘＲＴＴ、１ｘＥＶ−ＤＯ  Ｒｅｌ０、ＲｅｖＡ、ＲｅｖＢなど）技術、ならびに他の知られているおよび関係する技術にも適用され得ることを理解されたい。本明細書で説明するそのような実施形態では、ＨＮＢ２１０の所有者は、コアネットワーク２５０を通して提供される、たとえば、３ＧまたはＬＴＥモバイルサービスなど、モバイルサービスに加入し得、ＵＥ２２０は、マクロセルラー環境とＨＮＢベースの小カバレージネットワーク環境の両方において動作することが可能であり得る。したがって、ＨＮＢ２１０は、任意の既存のＵＥ２２０との後方互換性のために適合され得る。
【００６１】
[0071]マクロセルラーネットワーク２５０上にあるとき、ＵＥ２２０は、ＨＮＢ２１０によって使用される周波数とは異なる周波数上で動作していることがある。ＵＥ２２０がマクロセルからのネイバーリストを評価する、探索プロシージャの過程において、ＵＥ２２０はＨＮＢ２１０を発見しないことになる。フェムトセルなど、ＨＮＢは、いくつかの利用可能なキャリア周波数のうちの１つを使用し得る。ＵＥ２２０がちょうどその周波数上で動作していない場合、ＵＥ２２０は、ＵＥ２２０がＨＮＢ２１０のカバレージ内にあるにもかかわらず、ＨＮＢ２１０を見落とし、マクロセルラーネットワーク２５０上で動作し続けるであろう。さらに、ＨＮＢ２１０を発見する方法があるとしても、ＵＥ２２０は、ＨＮＢ２１０にアクセスすることを許可されないことがある（アクセスが制限されることがある）。この問題は、新しいＨＮＢが継続的に動作状態にされているということによって、さらに複雑にされ得る。
【００６２】
[0072]図２〜図３Ｂを参照すると、様々な実施形態は、セル間ＵＥによって引き起こされる、アップリンク干渉を消去するためのシステムおよび方法に関する。いくつかの事例では、他のスモールセルデバイスなどに関連するセル間ＵＥによってアップリンク干渉が引き起こされる。たとえば、第１のロケーション３０１（たとえば、アパート、自宅、オフィスなど）が、フェムトセルなど、（ＨＮＢ２１０と同様であり得る）第１の基地局またはスモールセル３１１を含んでいることがある。（ＵＥ２２０と同様であり得る）第１のＵＥ３２１が第１の基地局３１１に関連し得る。第１のロケーション３０１に隣接するかまたはさもなければそれの近くの第２のロケーション３０２（たとえば、アパート、自宅、オフィスなど）が（ＨＮＢ２１０と同様であり得る）第２の基地局またはスモールセル３１２を含んでいることがある。（ＵＥ２２０と同様であり得る）第２のＵＥ３２２が第２の基地局３１２に関連し得る。第１の基地局３１１に十分近い場合、第２のＵＥ３２２は、第１の基地局３１１においてアップリンク干渉を引き起こし得る。
【００６３】
[0073]いくつかの事例では、マクロセルなどに関連するセル間ＵＥによってアップリンク干渉が引き起こされる。たとえば、第３のロケーション３０３が（コアネットワーク２５０と同様であり得る）マクロ基地局３５１を含み得る。マクロ基地局３５１は（ＵＥ２２０と同様であり得る）マクロＵＥ３２３に関連し得る。第１の基地局３１１に十分近い場合、マクロＵＥ３２３は、第１の基地局３１１においてアップリンク干渉を引き起こし得る。
【００６４】
[0074]様々な実施形態では、第１の基地局３１１は、１つまたは複数の近隣基地局（たとえば、３１２、３５１）からの支援情報を使用して、セル間ＵＥによって引き起こされるアップリンク干渉を消去するように構成得る。したがって、１つまたは複数の近隣基地局３１２、３５１に関連するＵＥ（たとえば、３２２、３２３）の送信のための様々なパラメータを含む、支援情報は第１の基地局３１１に送信され、それにより、第１の基地局３１１が、受信された波形に干渉消去技法を適用することを可能にする。
【００６５】
[0075]いくつかの実施形態では、支援情報は、第１の基地局３１１が、１つまたは複数のセル間ＵＥによって引き起こされるアップリンク干渉を検出したことに応答して、第１の基地局３１１に報告され得る。たとえば、図３Ａ〜図４Ａを参照すると、プロセスＢ４００によれば、ブロックＢ４１０において、第１の基地局３１１は、近隣基地局３１２、３５１に通信するセル間ＵＥ３２２、３２３のうちの１つまたは複数からの第１の基地局３１１のアップリンクチャネルに対するアップリンク干渉を（たとえば、図１０におけるトランシーバ９５４Ａを介して）検出し得る。ブロックＢ４２０において、アップリンク干渉を検出したことに応答して、第１の基地局３１１は、１つまたは複数のセル間ＵＥ３２２、３２３がそれに関連する（１つまたは複数の）近隣基地局３１２、３５１に支援情報を要求し得る。ブロックＢ４３０において、第１の基地局３１１は、たとえば、（１つまたは複数の）近隣基地局３１２、３５１から、支援情報を（たとえば、図１０におけるトランシーバ９５４Ａを介して）受信する。したがって、ブロックＢ４４０において、第１の基地局３１１（たとえば、図１０におけるプロセッサ９３０）は、たとえば、本開示で説明するように、受信された信号の少なくとも一部分（たとえば、（１つまたは複数の）セル間ＵＥによる（１つまたは複数の）送信）を消去するために、（１つまたは複数の）近隣基地局３１２、３５１から受信された支援情報を使用して、干渉消去を実施し得る。
【００６６】
[0076]上記で図４Ａにおいて説明した方法Ｂ４００は、図４Ｂに示すミーンズプラスファンクションブロックＢ４００’に対応する様々なハードウェアおよび／またはソフトウェア構成要素（複数可）および／またはモジュール（複数可）によって実施され得る。言い換えれば、図４Ａに示されたブロックＢ４１０〜Ｂ４４０は、図４Ｂに示されたミーンズプラスファンクションブロックＢ４１０’〜Ｂ４４０’に対応する。
【００６７】
[0077]いくつかの実施形態では、第１の基地局３１１は、第１の基地局３１１に対するアップリンク干渉を引き起こし得る（１つまたは複数の）関連するＵＥ３２２、３２３との何らかの進行中の送信について（１つまたは複数の）近隣基地局３１２、３５１に支援情報を要求するように構成される。たとえば、図３Ａ、図３Ｂ、および図５を参照すると、プロセスＢ５００によれば、ブロックＢ５１０において、第１の基地局３１１は、たとえば、第１の基地局３１１が何らかのアップリンク干渉を検出する前に、（１つまたは複数の）近隣基地局３１２、３５１に支援情報を要求し得る。ブロックＢ５２０において、支援情報は、（１つまたは複数の）関連するＵＥ３２２、３２３による送信が行われるとき、（１つまたは複数の）近隣基地局３１２、３５１から受信され得る。したがって、第１の基地局３１１がアップリンク干渉を検出した場合（ブロックＢ５３０）、第１の基地局３１１は、ブロックＢ５４０において、（ブロックＢ５２０において受信された）すでに与えられた支援情報を使用して干渉消去を実施することができる。
【００６８】
[0078]代替的に、第１の基地局３１１は、アップリンク干渉を検出することなしに、支援情報を受信したことに応答して干渉消去を実施し得る。たとえば、図３Ａ、図３Ｂ、および図６を参照すると、プロセスＢ６００によれば、ブロックＢ６１０において、第１の基地局３１１は、たとえば、第１の基地局３１１が何らかのアップリンク干渉を検出する前に、（１つまたは複数の）近隣基地局３１２、３５１に支援情報を要求し得る。ブロックＢ６２０において、支援情報は、（１つまたは複数の）関連するＵＥ３２２、３２３による送信が行われるとき、（１つまたは複数の）近隣基地局３１２、３５１から受信され得る。ブロックＢ６３０において、支援情報を受信したことに応答して、第１の基地局３１１は、受信された支援情報を使用して干渉消去を実施し得る。
【００６９】
[0079]いくつかの実施形態では、（１つまたは複数の）近隣基地局３１２、３５１は、たとえば第１の基地局３１１からの要求なしに（またはさもなければそれに応答せずに）、第１の基地局３１１に対するアップリンク干渉を引き起こし得るそれのＵＥ（たとえば、３２２、３２３）のうちの１つまたは複数との進行中の送信に関して、第１の基地局３１１を含む、それの（１つまたは複数の）近隣基地局に支援情報を与え得る。たとえば、図３Ａ、図３Ｂ、および図７を参照すると、プロセスＢ７００によれば、ブロックＢ７１０において、たとえば、近隣基地局３１２が、第１の基地局３１１に対して、近隣基地局３１２に関連する、ＵＥ３２２によって引き起こされるアップリンク干渉に気づいている場合、支援情報は第１の基地局３１１において事前に受信され得る。したがって、第１の基地局３１１がアップリンク干渉を検出した場合（ブロックＢ７２０）、第１の基地局３１１は、ブロックＢ７３０において、（ブロックＢ７１０において受信された）すでに与えられた支援情報を使用して干渉消去を実施することができる。
【００７０】
[0080]たとえば、図３Ａ、図３Ｂ、図７、図９Ａ、および図９Ｂを参照すると、ブロックＢ９１０において、ＵＥ３２２は、第１の基地局３１１のためのプライマリスクランブリングコード（ＰＳＣ：primary scrambling code）または他の識別子を検出し得る。ブロックＢ９２０において、ＵＥ３２２は、ＵＥ３２２がそれに関連する近隣基地局３２１に対して第１の基地局３１１を識別し得る。したがって、ＵＥ３２２によるアップリンク干渉を受けている、基地局３１１は近隣基地局３２１に対して識別される。ブロックＢ９３０において、近隣基地局３２１は、第１の基地局が、受信された支援情報を使用して干渉消去を実施することを可能にするために、基地局３１１に支援情報を与える。
【００７１】
[0081]代替的に、第１の基地局３１１は、アップリンク干渉を検出することなしに、支援情報を受信したことに応答して干渉消去を実施し得る。たとえば、図３Ａ、図３Ｂ、および図８を参照すると、プロセスＢ８００によれば、ブロックＢ８１０において、支援情報は、（１つまたは複数の）関連するＵＥ３２２、３２３による送信が行われるとき、（１つまたは複数の）近隣基地局３１２、３５１から受信され得る。ブロックＢ８２０において、支援情報を受信したことに応答して、第１の基地局３１１は、受信された支援情報を使用して干渉消去を実施し得る。
【００７２】
[0082]図１〜図９を参照すると、様々な実施形態では、（１つまたは複数の）近隣基地局３１２、３５１は第１の基地局３１１に支援情報を与える。他の実施形態では、近隣基地局３１２、３５１と通信するセル間ＵＥ（たとえば、３２２、３２３）が、第１の基地局３１１に、セル間干渉消去のために必要とされる支援情報を与えることができる。支援情報は、たとえば（限定はしないが）、帯域外（ＯＯＢ）リンク（たとえば、Ｂｌｕｅｔｏｏｔｈ（登録商標）、ＷｉＦｉ（登録商標）など）などを介して、与えられ得る。
【００７３】
[0083]様々な実施形態では、アップリンク干渉は第１の基地局によって検出され得る。他の実施形態では、アップリンク干渉は、（１つまたは複数の）近隣基地局３１２、３５１、（１つまたは複数の）セル間ＵＥ３２２、３２３、第１の基地局３１１に関連するＵＥ３２１など、任意の構成要素によって検出され得る。
【００７４】
[0084]様々な実施形態では、支援情報は、それぞれの近隣基地局３１２、３５１に関連する、（１つまたは複数の）セル間ＵＥ３２２、３２３の送信に関係するパラメータリストであり得る。パラメータリストは、たとえば（限定はしないが）、スクランブリングコードタイプ、スクランブリングコード番号、拡散率、使用される直交可変拡散率（ＯＶＳＦ）コード、送信時間間隔（ＴＴＩ）、チャネルコーディングタイプ、レートマッチング属性、巡回冗長検査（ＣＲＣ）、ＵＬ  ＤＰＣＣＨスロットフォーマット、フィードバックインジケータ（ＦＢＩ）ビットの数、送信電力制御（ＴＰＣ）ビットの数、トランスポートフォーマット組合せインジケータビット（ＴＦＣＩ）ビットの数、トランスポートフォーマット組合せセット（ＴＦＣＳ）、アップリンクのためのトランスポートフォーマットセット（ＴＦＳ）、パンクチャリング限界、ｇａｉｎｆａｃｔｏｒ＿ＢｅｔａＣ、ｇａｉｎｆａｃｔｏｒ＿ＢｅｔａＤ、ｇａｉｎｆａｃｔｏｒ＿ＢｅｔａＨＳ、ＤＰＣＨフレームオフセットおよびチップオフセットなどのうちの１つまたは複数を含み得る。
【００７５】
[0085]第１の基地局３１１は干渉消去を実施する（たとえば、ブロックＢ４４０、Ｂ５４０、Ｂ６３０、Ｂ７３０、Ｂ８２０）。干渉消去は、概して、所与のＵＥからの信号のデータを復調することと、復調されたデータを復号することと、次いで（たとえば、チップシーケンスを復元するために）復号されたデータを再符号化することとを含み得る。次いで、復号されたデータはチャネル推定のために使用され得る。所望のＵＥが復号されると、それの信号は、他のＵＥに対する既知のアップリンク干渉として扱われ得る。したがって、復号されたＵＥの受信された波形サンプルをフィルタ処理することによって再構成するために波形合成（または干渉フィルタ処理）が実施され得る。再構成されたサンプルは、アップリンク干渉を消去するために、受信されたサンプルから減算される。たとえば、第１の基地局３１１は、第１の基地局３１１に関連するＵＥ３２１のためのよりクリーンな信号を生成するために、支援情報を使用して（１つまたは複数の）（干渉）セル間ＵＥ３２２、３２３からの信号を復号することと、第１の基地局３１１において受信された波形から（１つまたは複数の）セル間ＵＥ３２２、３２３の信号を減算することとによって、第１の基地局３１１において受信された波形サンプル（信号）に対して干渉消去を実施し得る。
【００７６】
[0086]干渉消去（ＩＣ：Interference cancellation）は、連続ＩＣ、反復並列ＩＣ、または反復グループＩＣなど、任意の好適な様式で実施され得る。セル間ＩＣは、第１の基地局３１１のエッジにおけるＵＥ３２１にサービスされるデータレートを増加させること、および／または同じデータレートの場合に第１の基地局３１１のカバレージを増加させることによって、第１の基地局３１１によってサービスされるＵＥ３２１のユーザエクスペリエンスを増加させるのに役立つ。様々な実施形態全体にわたって、第１の基地局３１１が支援情報を受信するまで、ＩＣは第１の基地局３１１によって試みられない。
【００７７】
[0087]連続ＩＣの場合、ＵＥは、最も強い（たとえば、第１の基地局３１１に最も近い）ＵＥのパケットが最初に復号されるように、成功の復号のＵＥの可能性によって順序付けられる。そのパケットが復号された後、信号は再構成され、受信された信号から減算される。（１つまたは複数の）残りのＵＥは、復号の後続のラウンドのために再び順序付けられる。このプロシージャは、すべてのＵＥにわたって反復的に実施される。概して、後で復号されるＵＥは、（１つまたは複数の）前のＵＥの消去から恩恵を受け、改善された信号対干渉雑音比（ＳＩＮＲ）に遭遇する。
【００７８】
[0088]反復並列ＩＣの場合、複数のＵＥ（ＵＥ３２１およびセル間ＵＥ３２２、３２３）が同時に復号され、受信された信号から消去される。ＵＥが、第１の反復において復号に失敗した場合は、ＵＥは、後続の反復において再び復号されることになり、他の場合は、後続の反復は行われない。処理能力は、たとえば、複数の並列復調器およびデコーダの間で分散され得る。
【００７９】
[0089]反復グループＩＣの場合、ＵＥは２つのグループ、すなわち、第１の基地局３１１のＵＥ３２１と近隣基地局３１２、３５１のセル間ＵＥ３２２、３２３とに分割される。並列ＩＣが第２のグループに対して実施され得、次いで並列ＩＣが第１のグループに対して実施され得る。
【００８０】
[0090]いくつかの実施形態では、セル間ＵＥ３２２、３２３が復号することに失敗した場合でも、第１の基地局３１１は、たとえば、ソフト干渉消去を実施することによって、セル間ＵＥの波形（信号）の一部分を消去することを試み得る。たとえば、波形を再構成するために第１の基地局３１１のチャネル復号器のソフト出力からセル間ＵＥの波形のデータシンボルの最小平均２乗誤差（ＭＭＳＥ）推定値が導出され得る。特定の実施形態では、支援情報が（たとえば、干渉マクロＵＥ３２３から）利用可能でない場合、ソフトＩＣが実装され得る。
【００８１】
[0091]いくつかの実施形態では、アップリンク干渉が検出された場合、それに応じて第１の基地局３１１のためのＵＥ３１２のための電力制御セットポイントが変更され得る。いくつかの実施形態では、第１の基地局が利用可能な容量（たとえば、エアリンクまたはバックホールリソース）を有する場合、第１の基地局３１１は、限定アクセス（第１のモード）から「ハイブリッド」アクセス（第２のモード）に切り替わるように構成される。ハイブリッドアクセスでは、任意のユーザ機器が第１の基地局３１１にアクセスすることができるが、許可されたＵＥ（すなわち、第１の基地局３１１に関連するＵＥ）に優先度が与えられる。
【００８２】
[0092]いくつかの実施形態では、第１の基地局３１１によって復号された（たとえば、セル間ＵＥからの）ビットストリームが近隣基地局３２１にフォワーディングされ得る。したがって、（たとえば、ＵＥ３２２からの）近隣基地局３２１を対象とする波形が誤差を有する場合、フォワーディングされたビットストリームは、再送信を低減するためにそれの処理のために近隣基地局３２１によって使用され得る。
【００８３】
[0093]様々な実施形態では、基地局（たとえば、３１１、３１２、３５１）は、任意の好適な様式で通信し、および／または互いを識別するように構成され得る。たとえば、ホームノードＢゲートウェイ（ＨＮＢ−ＧＷ）など、基地局ゲートウェイ、または他のエンティティが、基地局のための識別情報を維持し得る。識別情報は、限定はしないが、一意の識別子（たとえば、フェムトＩＤ）、帯域外（ＯＯＢ）ＩＤ、プライマリスクランブリングコード（ＰＳＣ）、ＩＰアドレスなどを含み得る。たとえば、基地局が、ネットワークリスニングモジュール（ＮＬＭ：network listening module）を介してまたはＯＯＢを通して近隣基地局を検出し得る。別の例として、基地局は、ＰＳＣ、一意の識別子、ＯＯＢ  ＩＤなど、既知の情報に基づいて近隣基地局のＩＰアドレスについてサーバ（たとえば、ＲＡＤＩＵＳサーバ）をルックアップし得る。また別の例として、近隣基地局が、ＩＰリンクをセットアップし、ブロードバンド接続を介して通信し得る。他の例としては、（限定はしないが）ロングタームエボリューションデバイスツーデバイス（ＬＴＥ−Ｄ２Ｄ）、ＬＴＥホワイトスペース（ＬＴＥ−ＷＳ）、ＷｉＦｉ、ＷｉＦｉ  ＤｉｒｅｃｔなどのＯＯＢリンク、電力線通信（ＰＬＣ：power line communication）などがある。
【００８４】
[0094]様々な実施形態によれば、セル間アップリンク干渉消去を実施することは、エアインターフェースの変更が必要とされず、ＵＥの変更が必要とされないという点で、利点を与える。
【００８５】
[0095]本明細書の教示は、少なくとも１つの他のノードと通信するための様々な構成要素を採用するノード（たとえば、デバイス）に組み込まれ得る。図９に、ノード間の通信を可能にするために採用され得るいくつかの例示的な構成要素を示す。特に、図９は、システム９００のワイヤレスデバイス９１０（たとえば、アクセスポイント、ＨＮＢ、スモールセルなど）とワイヤレスデバイス９５０（たとえば、アクセス端末またはＵＥ）とを示している。
【００８６】
[0096]図１〜図１０を参照すると、特定の実施形態では、ワイヤレスデバイス９１０は第１の基地局３１１（および／または近隣基地局３２１、３５１のうちの１つまたは複数）であり得る。ワイヤレスデバイス９５０はＵＥ３２１（および／またはセル間ＵＥ３２２、３２３のうちの１つまたは複数）であり得る。ワイヤレスデバイス９１０および／またはワイヤレスデバイス９５０は、図１〜図８に関係する実施形態の特徴のいずれかを実装し得る。
【００８７】
[0097]デバイス９１０において、いくつかのデータストリームのトラフィックデータが、データソース９１２から送信（「ＴＸ」）データプロセッサ９１４に与えられる。いくつかの態様では、各データストリームは、それぞれの送信アンテナを介して送信される。ＴＸデータプロセッサ９１４は、そのデータストリーム用に選択された特定のコーディング方式に基づいて、データストリームごとのトラフィックデータをフォーマットし、コーディングし、インターリーブして、コーディングされたデータを与える。
【００８８】
[0098]各データストリームのコーディングされたデータは、ＯＦＤＭ技法を使用してパイロットデータと多重化され得る。パイロットデータは、典型的には、知られている方法で処理される、知られているデータパターンであり、チャネル応答を推定するために受信機システムにおいて使用され得る。各データストリームの多重化されたパイロットデータおよびコーディングされたデータは、次いで、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）されて、変調シンボルが与えられる。各データストリームのデータレート、コーディング、および変調は、プロセッサ９３０によって実施される命令によって判断され得る。データメモリ９３２は、プロセッサ９３０またはデバイス９１０の他の構成要素によって使用されるプログラムコード、データ、および他の情報を記憶し得る。
【００８９】
[0099]すべてのデータストリームの変調シンボルが、次いで、ＴＸ  ＭＩＭＯプロセッサ９２０に与えられ、ＴＸ  ＭＩＭＯプロセッサ９２０は（たとえば、ＯＦＤＭ用に）その変調シンボルをさらに処理し得る。ＴＸ  ＭＩＭＯプロセッサ９２０は、次いで、ＮT個の変調シンボルストリームをＮT個のトランシーバ（「ＸＣＶＲ」）９２２Ａ〜９２２Ｔに与える。いくつかの態様では、ＴＸ  ＭＩＭＯプロセッサ９２０は、データストリームのシンボルと、シンボルがそこから送信されているアンテナとにビームフォーミング重みを適用する。
【００９０】
[0100]各トランシーバ９２２は、それぞれのシンボルストリームを受信し、処理して１つまたは複数のアナログ信号を与え、さらにそのアナログ信号を調整（たとえば、増幅、フィルタ処理、およびアップコンバート）して、ＭＩＭＯチャネルを介した送信に適した被変調信号を与える。次いで、送信機９２２Ａ〜９２２ＴからのＮT個の被変調信号は、それぞれＮT個のアンテナ９２４Ａ〜９２４Ｔから送信される。
【００９１】
[0101]デバイス９５０において、送信された被変調信号はＮR個のアンテナ９５２Ａ〜９５２Ｒによって受信され、各アンテナ９５２からの受信信号は、それぞれのトランシーバ（「ＸＣＶＲ」）９５４Ａ〜９５４Ｒに与えられる。各トランシーバ９５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００９２】
[0102]次いで、受信（「ＲＸ」）データプロセッサ９６０が、ＮR個のトランシーバ９５４からＮR個の受信シンボルストリームを受信し、特定の受信機処理技法に基づいて処理して、ＮT個の「検出」シンボルストリームを与える。次いで、ＲＸデータプロセッサ９６０は、各検出シンボルストリームを復調し、デインターリーブし、復号して、データストリームのトラフィックデータを復元する。ＲＸデータプロセッサ９６０による処理は、デバイス９１０におけるＴＸ  ＭＩＭＯプロセッサ９２０およびＴＸデータプロセッサ９１４によって実施される処理を補足する。
【００９３】
[0103]プロセッサ９７０は、どのプリコーディング行列を使用すべきかを周期的に判断する（以下で説明する）。プロセッサ９７０は、行列インデックス部分とランク値部分とを備える逆方向リンクメッセージを作成する。データメモリ９７２は、プロセッサ９７０またはデバイス９５０の他の構成要素によって使用されるプログラムコード、データ、および他の情報を記憶し得る。
【００９４】
[0104]逆方向リンクメッセージは、通信リンクおよび／または受信データストリームに関する様々なタイプの情報を備え得る。逆方向リンクメッセージは、次いで、データソース９３６からいくつかのデータストリームのトラフィックデータをも受信するＴＸデータプロセッサ９３８によって処理され、変調器９８０によって変調され、トランシーバ９５４Ａ〜９５４Ｒによって調整され、デバイス９１０に戻される。
【００９５】
[0105]デバイス９１０において、デバイス９５０からの被変調信号は、アンテナ９２４によって受信され、トランシーバ９２２によって調整され、復調器（「ＤＥＭＯＤ」）９４０によって復調され、ＲＸデータプロセッサ９４２によって処理されて、デバイス９５０によって送信された逆方向リンクメッセージが抽出される。プロセッサ９３０は、次いで、ビームフォーミング重みを判断するためにどのプリコーディング行列を使用すべきかを判断し、次いで、抽出されたメッセージを処理する。
【００９６】
[0106]本明細書の教示は、様々なタイプの通信システムおよび／またはシステム構成要素に組み込まれ得る。いくつかの態様では、本明細書の教示は、利用可能なシステムリソースを共有することによって（たとえば、帯域幅、送信電力、コーディング、インターリーブなどのうちの１つまたは複数を指定することによって）、複数のユーザとの通信をサポートすることが可能な多元接続システムにおいて採用され得る。たとえば、本明細書の教示は、以下の技術、すなわち、符号分割多元接続（「ＣＤＭＡ」）システム、マルチキャリアＣＤＭＡ（「ＭＣＣＤＭＡ」）、広帯域ＣＤＭＡ（「Ｗ−ＣＤＭＡ（登録商標）」）、高速パケットアクセス（「ＨＳＰＡ」、「ＨＳＰＡ＋」）システム、時間分割多元接続（「ＴＤＭＡ」）システム、周波数分割多元接続（「ＦＤＭＡ」）システム、シングルキャリアＦＤＭＡ（「ＳＣ−ＦＤＭＡ」）システム、直交周波数分割多元接続（「ＯＦＤＭＡ」）システム、または他の多元接続技法のうちのいずれか１つまたはそれらの組合せに適用され得る。本明細書の教示を採用するワイヤレス通信システムは、ＩＳ−９５、ｃｄｍａ２０００、ＩＳ−８５６、Ｗ−ＣＤＭＡ、ＴＤＳＣＤＭＡ、および他の規格など、１つまたは複数の規格を実装するように設計され得る。ＣＤＭＡネットワークは、ユニバーサル地上波無線アクセス（「ＵＴＲＡ」：Universal Terrestrial Radio Access）、ｃｄｍａ２０００などの無線技術、または何らかの他の技術を実装し得る。ＵＴＲＡは、Ｗ−ＣＤＭＡおよび低チップレート（「ＬＣＲ」）を含む。ｃｄｍａ２０００技術は、ＩＳ−２０００、ＩＳ−９５、およびＩＳ−８５６規格をカバーする。ＴＤＭＡネットワークは、モバイル通信用グローバルシステム（「ＧＳＭ（登録商標）」：Global System for Mobile Communications）などの無線技術を実装し得る。ＯＦＤＭＡネットワークは、発展型ＵＴＲＡ（「Ｅ−ＵＴＲＡ」）、ＩＥＥＥ８０２．１１、ＩＥＥＥ８０２．１６、ＩＥＥＥ８０２．２０、Ｆｌａｓｈ−ＯＦＤＭ（登録商標）などの無線技術を実装し得る。ＵＴＲＡ、Ｅ−ＵＴＲＡ、およびＧＳＭは、ユニバーサルモバイルテレコミュニケーションシステム（「ＵＭＴＳ」：Universal Mobile Telecommunication System）の一部である。本明細書の教示は、３ＧＰＰロングタームエボリューション（「ＬＴＥ」）システム、ウルトラモバイルブロードバンド（「ＵＭＢ」）システム、および他のタイプのシステムで実装され得る。ＬＴＥは、Ｅ−ＵＴＲＡを使用するＵＭＴＳのリリースである。本開示のいくつかの態様について、３ＧＰＰ用語を使用して説明することがあるが、本明細書の教示は、３ＧＰＰ（Ｒｅｌ９９、Ｒｅｌ５、Ｒｅｌ６、Ｒｅｌ７）技術、ならびに３ＧＰＰ２（１ｘＲＴＴ、１ｘＥＶ−ＤＯ  Ｒｅｌ０、ＲｅｖＡ、ＲｅｖＢ）技術および他の技術に適用され得ることを理解されたい。
【００９７】
[0107]本明細書の教示は、様々な装置（たとえば、ノード）に組み込まれ得る（たとえば、それらの装置内に実装されるか、またはそれらの装置によって実施され得る）。いくつかの態様では、本明細書の教示に従って実装されるノード（たとえば、ワイヤレスノード）はアクセスポイントまたはアクセス端末を備え得る。
【００９８】
[0108]たとえば、アクセス端末は、ユーザ機器、加入者局、加入者ユニット、移動局、モバイル、モバイルノード、リモート局、リモート端末、ユーザ端末、ユーザエージェント、ユーザデバイス、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、またはワイヤレスモデムに接続された何らかの他の好適な処理デバイスを備え得る。したがって、本明細書で教示する１つまたは複数の態様は、電話（たとえば、セルラーフォンまたはスマートフォン）、コンピュータ（たとえば、ラップトップ）、ポータブル通信デバイス、ポータブルコンピューティングデバイス（たとえば、個人情報端末）、エンターテインメントデバイス（たとえば、音楽デバイス、ビデオデバイス、または衛星ラジオ）、全地球測位システムデバイス、またはワイヤレス媒体を介して通信するように構成された他の好適なデバイスに組み込まれ得る。
【００９９】
[0109]アクセスポイントは、ノードＢ、ｅノードＢ、無線ネットワークコントローラ（「ＲＮＣ」）、基地局（「ＢＳ」）、無線基地局（「ＲＢＳ」）、基地局コントローラ（「ＢＳＣ」）、基地トランシーバ局（「ＢＴＳ」）、トランシーバ機能（「ＴＦ」）、無線トランシーバ、無線ルータ、基本サービスセット（「ＢＳＳ」）、拡張サービスセット（「ＥＳＳ」）、または何らかの他の同様の用語を備えるか、それらのいずれかとして実装されるか、あるいはそれらのいずれかとして知られることがある。
【０１００】
[0110]いくつかの実施形態では、ノード（たとえば、アクセスポイント）は、通信システムのためのアクセスノードを備え得る。そのようなアクセスノードは、たとえば、ネットワーク（たとえば、インターネットまたはセルラーネットワークなど、ワイドエリアネットワーク）へのワイヤードまたはワイヤレス通信リンクを介して、ネットワークのための、またはネットワークへの接続性を与え得る。したがって、アクセスノードは、別のノード（たとえば、アクセス端末）がネットワークまたは何らかの他の機能にアクセスすることを可能にし得る。さらに、それらのノードの一方または両方はポータブルであり得るか、または、場合によっては、比較的非ポータブルであり得ることを諒解されたい。
【０１０１】
[0111]また、ワイヤレスノードは、非ワイヤレス方式で（たとえば、ワイヤード接続を介して）情報を送信および／または受信することが可能であり得ることを理解されたい。したがって、本明細書で説明する受信機および送信機は、非ワイヤレス媒体を介して通信するための適切な通信インターフェース構成要素（たとえば、電気的または光学的インターフェース構成要素）を含み得る。
【０１０２】
[0112]ワイヤレスノードは、好適なワイヤレス通信技術に基づくか、またはさもなければそれをサポートする、１つまたは複数のワイヤレス通信リンクを介して通信し得る。たとえば、いくつかの態様では、ワイヤレスノードはネットワークに関連し得る。いくつかの態様では、ネットワークはローカルエリアネットワークまたはワイドエリアネットワークを備え得る。ワイヤレスデバイスは、本明細書で説明するものなど、様々なワイヤレス通信技術、プロトコル、または規格（たとえば、ＣＤＭＡ、ＴＤＭＡ、ＯＦＤＭ、ＯＦＤＭＡ、ＷｉＭＡＸ（登録商標）、Ｗｉ−Ｆｉなど）のうちの１つまたは複数をサポートするか、またさもなければ使用し得る。同様に、ワイヤレスノードは、様々な対応する変調方式または多重化方式のうちの１つまたは複数をサポートするか、またはさもなければ使用し得る。したがって、ワイヤレスノードは、上記または他のワイヤレス通信技術を使用して１つまたは複数のワイヤレス通信リンクを確立し、それを介して通信するための適切な構成要素（たとえば、エアインターフェース）を含み得る。たとえば、ワイヤレスノードは、ワイヤレス媒体上の通信を可能にする様々な構成要素（たとえば、信号生成器および信号プロセッサ）を含み得る、関連する送信機構成要素と受信機構成要素とをもつワイヤレストランシーバを備え得る。
【０１０３】
[0113]開示するプロセス中のステップの特定の順序または階層は、例示的な手法の一例であることを理解されたい。設計上の選好に基づいて、プロセス中のステップの特定の順序または階層は本開示の範囲内のまま再構成され得ることを理解されたい。添付の方法クレームは、様々なステップの要素を例示的な順序で提示したものであり、提示された特定の順序または階層に限定されるものではない。
【０１０４】
[0114]情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０５】
[0115]さらに、本明細書で開示する実施形態に関して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能がハードウェアとして実装されるか、ソフトウェアとして実装されるかは、特定の適用例および全体的なシステムに課せられた設計制約に依存する。当業者は、説明した機能を特定の適用例ごとに様々な方法で実装し得るが、そのような実装の決定は、本開示の範囲からの逸脱を生じるものと解釈されるべきではない。
【０１０６】
[0116]本明細書で開示する実施形態に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実施するように設計されたそれらの任意の組合せを用いて実装または実施され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。
【０１０７】
[0117]本明細書で開示する実施形態に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末中に常駐し得る。代替として、プロセッサおよび記憶媒体は、ユーザ端末中に個別構成要素として常駐し得る。
【０１０８】
[0118]１つまたは複数の例示的な実施形態では、説明した機能は、ハードウェア、ソフトウェア、ファームウェア、またはそれらの任意の組合せで実装され得る。ソフトウェアで実装される場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体と通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。さらに、いかなる接続もコンピュータ可読媒体と適切に呼ばれる。たとえば、ソフトウェアが、同軸ケーブル、光ファイバーケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびｂｌｕ−ｒａｙ（登録商標）ディスク（disc）を含み、ディスク（disk）は、通常、データを磁気的に再生し、ディスク（disc）は、データをレーザーで光学的に再生する。上記の組合せもコンピュータ可読媒体の範囲内に含まれるべきである。
【０１０９】
[0119]開示する実施形態についての以上の説明は、当業者が本開示を作成または使用することができるように与えたものである。これらの実施形態への様々な修正は当業者には容易に明らかであり、本明細書で定義した一般原理は、本開示の趣旨または範囲から逸脱することなく他の実施形態に適用され得る。したがって、本開示は、本明細書で示した実施形態に限定されるものではなく、本明細書で開示する原理および新規の特徴に一致する最も広い範囲を与られるべきである。
以下に本願発明の当初の特許請求の範囲に記載された発明を付記する。
［Ｃ１］
基地局においてアップリンク干渉を管理する方法であって、前記方法は、
基地局のアップリンクチャネルに対して１つまたは複数のセル間ユーザ機器によって引き起こされるアップリンク干渉を検出することと、前記１つまたは複数のセル間ユーザ機器が近隣基地局に関連する、
前記基地局において、前記近隣基地局から支援情報を受信することと、前記支援情報が、前記近隣基地局に関連する前記１つまたは複数のユーザ機器による進行中の送信のパラメータリストを備える、
前記基地局において、得られた信号を生成するために、前記支援情報に基づいて、受信された信号の少なくとも一部分に対してアップリンク干渉消去を実施することと
を備える、方法。
［Ｃ２］
前記方法が、
前記近隣基地局に前記支援情報についての要求を送信すること
をさらに備え、
前記支援情報が前記要求に応答して受信される、Ｃ１に記載の方法。
［Ｃ３］
基地局においてアップリンク干渉を管理する方法であって、前記方法は、
前記基地局において、近隣基地局から支援情報を受信することと、前記支援情報が、前記近隣基地局に関連する１つまたは複数のセル間ユーザ機器による進行中の送信のパラメータリストを備え、前記１つまたは複数のセル間ユーザ機器の前記進行中の送信が前記基地局のアップリンクチャネルに対するアップリンク干渉を引き起こす、
前記基地局において、得られた信号を生成するために、前記支援情報に基づいて、受信された信号の少なくとも一部分に対してアップリンク干渉消去を実施することと
を備える、方法。
［Ｃ４］
前記方法が、
前記１つまたは複数のセル間ユーザ機器によって引き起こされる前記アップリンク干渉を検出すること
をさらに備え、
前記アップリンク干渉消去が、前記アップリンク干渉を検出したことに応答して実施される、Ｃ３に記載の方法。
［Ｃ５］
前記方法が、
前記近隣基地局に前記支援情報についての要求を送信すること
をさらに備え、
前記支援情報が前記要求に応答して受信される、Ｃ３に記載の方法。
［Ｃ６］
前記方法は、
前記近隣基地局に前記支援情報についての要求を送信することと、ここにおいて、前記支援情報が前記要求に応答して受信される、
前記アップリンク干渉を検出することと
をさらに備え、
前記アップリンク干渉消去が、前記アップリンク干渉を検出したことに応答して実施される、Ｃ３に記載の方法。
［Ｃ７］
前記方法が、
前記１つまたは複数のセル間ユーザ機器によって引き起こされる前記アップリンク干渉を検出することと、
前記アップリンク干渉を検出したことに応答して、前記近隣基地局に前記支援情報についての要求を送信することと
をさらに備え、
前記支援情報が前記要求に応答して受信される、Ｃ３に記載の方法。
［Ｃ８］
前記受信された信号の前記少なくとも一部分が連続干渉消去によって消去される、Ｃ３に記載の方法。
［Ｃ９］
前記受信された信号の前記少なくとも一部分が反復並列干渉消去によって消去される、Ｃ３に記載の方法。
［Ｃ１０］
前記受信された信号の前記少なくとも一部分が反復グループ干渉消去によって消去される、Ｃ３に記載の方法。
［Ｃ１１］
前記支援情報は、前記セル間ユーザ機器のうちの１つが、前記セル間機器が前記基地局の前記アップリンクチャネルに対するアップリンク干渉を引き起こしていると判断したことに応答して受信される、Ｃ３に記載の方法。
［Ｃ１２］
前記支援情報が前記近隣基地局から直接受信される、Ｃ３に記載の方法。
［Ｃ１３］
前記支援情報がＷｉ−Ｆｉ  Ｄｉｒｅｃｔ（登録商標）を介して前記近隣基地局から直接受信される、Ｃ１２に記載の方法。
［Ｃ１４］
前記支援情報がロングタームエボリューションホワイトスペース（ＬＴＥ−ＷＳ）を介して前記近隣基地局から直接受信される、Ｃ１２に記載の方法。
［Ｃ１５］
前記支援情報がロングタームエボリューションデバイスツーデバイス（ＬＴＥ−Ｄ２Ｄ）を介して前記近隣基地局から直接受信される、Ｃ１２に記載の方法。
［Ｃ１６］
前記支援情報がＷｉ−Ｆｉ（登録商標）を介して前記近隣基地局から直接受信される、Ｃ１２に記載の方法。
［Ｃ１７］
前記支援情報が電力線接続（ＰＬＣ）を介して前記近隣基地局から直接受信される、Ｃ１２に記載の方法。
［Ｃ１８］
前記支援情報がバックホール接続を介して前記近隣基地局から直接受信される、Ｃ１２に記載の方法。
［Ｃ１９］
前記支援情報が、前記近隣基地局に関連するユーザ機器を介して前記近隣基地局から受信される、Ｃ３に記載の方法。
［Ｃ２０］
前記支援情報が、ワイヤレスワイドエリアネットワーク（ＷＷＡＮ）インターフェースを介して前記近隣基地局に関連する前記ユーザ機器を介して前記近隣基地局から受信される、Ｃ１９に記載の方法。
［Ｃ２１］
前記支援情報が、帯域外（ＯＯＢ）リンクを介して前記近隣基地局に関連する前記ユーザ機器を介して前記近隣基地局から受信される、Ｃ１９に記載の方法。
［Ｃ２２］
前記基地局がスモールセルデバイスを備える、Ｃ３に記載の方法。
［Ｃ２３］
前記スモールセルデバイスがフェムトセルを備える、Ｃ２２に記載の方法。
［Ｃ２４］
前記基地局がマクロセルデバイスを備える、Ｃ３に記載の方法。
［Ｃ２５］
前記支援情報の前記パラメータリストが、スクランブリングコードタイプおよびスクランブリングコード番号のうちの１つまたは複数を含む、Ｃ３に記載の方法。
［Ｃ２６］
前記支援情報の前記パラメータリストが、拡散率および直交可変拡散率（ＯＶＳＦ）コードのうちの１つまたは複数を含む、Ｃ３に記載の方法。
［Ｃ２７］
前記支援情報の前記パラメータリストが送信時間間隔（ＴＴＩ）を含む、Ｃ３に記載の方法。
［Ｃ２８］
前記支援情報の前記パラメータリストがチャネルコーディングタイプを含む、Ｃ３に記載の方法。
［Ｃ２９］
前記支援情報の前記パラメータリストがレートマッチング属性を含む、Ｃ３に記載の方法。
［Ｃ３０］
前記支援情報の前記パラメータリストが巡回冗長検査（ＣＲＣ）を含む、Ｃ３に記載の方法。
［Ｃ３１］
前記支援情報の前記パラメータリストが、フィードバックインジケータ（ＦＢＩ）ビットの数、送信電力制御（ＴＰＣ）ビットの数、トランスポートフォーマット組合せインジケータビット（ＴＦＣＩ）ビットの数のうちの１つまたは複数を含むＵＬ  ＤＰＣＣＨスロットフォーマットを含む、Ｃ３に記載の方法。
［Ｃ３２］
前記支援情報の前記パラメータリストが、トランスポートフォーマット組合せセット（ＴＦＣＳ）およびアップリンクのためのトランスポートフォーマットセット（ＴＦＳ）のうちの１つまたは複数を含む、Ｃ３に記載の方法。
［Ｃ３３］
前記支援情報の前記パラメータリストがパンクチャリング限界を含む、Ｃ３に記載の方法。
［Ｃ３４］
前記支援情報の前記パラメータリストが１つまたは複数の利得係数を含む、Ｃ３に記載の方法。
［Ｃ３５］
前記支援情報の前記パラメータリストが、ＤＰＣＨフレームオフセットパラメータおよびチップオフセットパラメータのうちの１つまたは複数を含む、Ｃ３に記載の方法。
［Ｃ３６］
アップリンク干渉消去を前記実施することが、
前記受信された信号から、前記近隣基地局に関連する前記ユーザ機器からのビットストリームを復号することと、
前記近隣基地局に前記復号されたビットストリームを与えることと
を備える、Ｃ３に記載の方法。
［Ｃ３７］
前記方法は、
前記基地局のための現在リソース利用量を判断することと、
現在リソース容量が所定のしきい値を下回るとき、許可されていないユーザ機器にアクセスを与えることと
をさらに備える、Ｃ３に記載の方法。
［Ｃ３８］
前記許可されていないユーザ機器に優先して、許可されたユーザ機器に復号優先度が与えられる、Ｃ３７に記載の方法。
［Ｃ３９］
ユーザ機器によって実施される、アップリンク干渉を管理するための方法であって、前記方法は、
前記ユーザ機器によって、ビクティム基地局のアップリンクチャネルに対して前記ユーザ機器によって引き起こされるアップリンク干渉を検出することと、
前記ユーザ機器がそれに関連するサービング基地局に対して前記ビクティム基地局を識別することと
を備える、方法。
［Ｃ４０］
前記ビクティム基地局が干渉消去を実施することを可能にするために、前記ビクティム基地局に支援情報が与えられる、Ｃ３９に記載の方法。
［Ｃ４１］
基地局においてアップリンク干渉を管理する方法であって、前記方法は、
基地局のアップリンクチャネルに対して１つまたは複数のセル間ユーザ機器によって引き起こされるアップリンク干渉を検出することと、前記１つまたは複数のセル間ユーザ機器が近隣基地局に関連する、
前記１つまたは複数のセル間ユーザ機器の送信のデータシンボルの最小平均２乗誤差（ＭＭＳＥ）推定値を生成することと、前記ＭＭＳＥ推定値が前記基地局のチャネル復号器のソフト出力から導出される、
前記ＭＭＳＥ推定値に基づいて波形を再構成することと
を備える、方法。
［Ｃ４２］
アップリンク干渉を管理するための基地局であって、前記基地局は、
近隣基地局から支援情報を受信するように構成されたトランシーバと、前記支援情報が、前記近隣基地局に関連する１つまたは複数のユーザ機器による進行中の送信のパラメータリストを備える、
得られた信号を生成するために、前記支援情報に基づいて、受信された信号の少なくとも一部分に対してアップリンク干渉消去を実施するように構成されたプロセッサと、
を備える、基地局。
［Ｃ４３］
基地局においてアップリンク干渉を管理するための装置であって、前記装置は、
基地局のアップリンクチャネルに対して１つまたは複数のセル間ユーザ機器によって引き起こされるアップリンク干渉を検出するための手段と、前記１つまたは複数のセル間ユーザ機器が近隣基地局に関連する、
前記基地局において、前記近隣基地局から支援情報を受信するための手段と、前記支援情報が、前記近隣基地局に関連する前記１つまたは複数のユーザ機器による進行中の送信のパラメータリストを備える、
前記基地局において、得られた信号を生成するために、前記支援情報に基づいて、受信された信号の少なくとも一部分に対してアップリンク干渉消去を実施するための手段と、
を備える、装置。
［Ｃ４４］
前記装置が、
前記近隣基地局に前記支援情報についての要求を送信するための手段
をさらに備え、
前記支援情報が前記要求に応答して受信される、Ｃ４３に記載の装置。
［Ｃ４５］
基地局においてアップリンク干渉を管理するための装置であって、前記装置は、
基地局のアップリンクチャネルに対して１つまたは複数のセル間ユーザ機器によって引き起こされるアップリンク干渉を検出することと、前記１つまたは複数のセル間ユーザ機器が近隣基地局に関連する、
前記基地局において、前記近隣基地局から支援情報を受信することと、前記支援情報が、前記近隣基地局に関連する前記１つまたは複数のユーザ機器による進行中の送信のパラメータリストを備える、
前記基地局において、得られた信号を生成するために、前記支援情報に基づいて、受信された信号の少なくとも一部分に対してアップリンク干渉消去を実施することと、
を行うために構成されたプロセッサ
を備える、装置。
［Ｃ４６］
前記プロセッサが、さらに、
前記近隣基地局に前記支援情報についての要求を送信する、ために構成され、
前記支援情報が前記要求に応答して受信される、Ｃ４５に記載の装置。
［Ｃ４７］
基地局においてアップリンク干渉を管理するためのコンピュータプログラム製品であって、前記コンピュータプログラム製品は、
基地局のアップリンクチャネルに対して１つまたは複数のセル間ユーザ機器によって引き起こされるアップリンク干渉を検出することと、前記１つまたは複数のセル間ユーザ機器が近隣基地局に関連する、
前記基地局において、前記近隣基地局から支援情報を受信することと、前記支援情報が、前記近隣基地局に関連する前記１つまたは複数のユーザ機器による進行中の送信のパラメータリストを備える、
前記基地局において、得られた信号を生成するために、前記支援情報に基づいて、受信された信号の少なくとも一部分に対してアップリンク干渉消去を実施することと
を行うためのコードを備えるコンピュータ可読記憶媒体
を備える、コンピュータプログラム製品。
［Ｃ４８］
前記コンピュータ可読記憶媒体が、
前記近隣基地局に前記支援情報についての要求を送信する
ためのコードをさらに備え、
ここにおいて、前記支援情報が前記要求に応答して受信される、Ｃ４７に記載の装置。
【図１】
0006312693.tif 000002
【図２】
0006312693.tif 000003
【図３Ａ】
0006312693.tif 000004
【図３Ｂ】
0006312693.tif 000005
【図４Ａ】
0006312693.tif 000006
【図４Ｂ】
0006312693.tif 000007
【図５】
0006312693.tif 000008
【図６】
0006312693.tif 000009
【図７】
0006312693.tif 000010
【図８】
0006312693.tif 000011
【図９Ａ】
0006312693.tif 000012
【図９Ｂ】
0006312693.tif 000013
【図１０】
0006312693.tif 000014